(57)【特許請求の範囲】
【請求項１】
法面に設置し、枠内に客土を保持する法枠において、間伐材の丸太を数十ｃｍの長さに切断し、その中心部に貫通孔を穿設してなる木材を、前記貫通孔内に索条又は線材を挿通することにより複数個連ねて法枠材を形成するとともに、該索条又は線材の端部に締結具を配設し、該締結具を介して複数の法枠材を連結したことを特徴とする法枠。
【請求項２】
前記締結具をアースアンカー又はアンカーボルトで地面に固定することにより、法枠材を法面に固定したことを特徴とする請求項１記載の法枠。
【発明の詳細な説明】
【０００１】
【発明の属する技術分野】
本発明は、山の傾斜面、堤防や道路の法面等（以下、単に「法面」という。）の崩壊を防止するために、法面等に沿って設置される法枠に関するものである。
【０００２】
【従来の技術】
土地開発の増加とともに、山の傾斜面、堤防や道路の法面等の崩壊を防止するための土留工事の需要が急増している。
【０００３】
ところで、この種の土留工事には、従来から、法面等に沿ってコンクリートを打設したり、コンクリート製ブロックを設置する工法が多用されてきたが、近年の環境保護の高まりとともに、上記従来のコンクリートを使用する工法の見直しが進められ、自然環境に適合した工法の開発が要請されている。
【０００４】
この環境保護の要請に応えるものとして、法枠を法面等に沿って設置するとともに、該法枠内に客土を保持して緑化を図る方法が実用化されている。
【０００５】
【発明が解決しようとする課題】
しかしながら、従来の法枠は、型枠にコンクリートを流し込んで成型したものであるため、施工が大がかりで工事費が高くなるとともに、施行後の景観も見劣りのするものであった。
【０００６】
本発明は、上記従来の法枠が有する問題点に鑑み、森林保全、林業振興のためにその有効利用が要請されている間伐材からなる木材を利用して、施工が容易で工事費が安く、施行後の景観も良好な法枠を提供することを目的とする。
【０００７】
【課題を解決するための手段】
上記目的を達成するため、本発明の法枠は、法面に設置し、枠内に客土を保持する法枠において、間伐材の丸太を数十ｃｍの長さに切断し、その中心部に貫通孔を穿設してなる木材を、前記貫通孔内に索条又は線材を挿通することにより複数個連ねて法枠材を形成するとともに、該索条又は線材の端部に締結具を配設し、該締結具を介して複数の法枠材を連結したことを特徴とする。
【０００８】
この法枠は、間伐材の丸太を数十ｃｍの長さに切断し、その中心部に貫通孔を穿設してなる木材を、前記貫通孔内に索条又は線材を挿通することにより複数個連ねて法枠材を形成するとともに、該索条又は線材の端部に締結具を配設した締結具を介して複数の法枠材を連結することから、施工が容易で材料費や工事費が安く、しかも、芯材となる索条又は線材が間伐材の丸太からなる木材によって覆われているため、施行後も自然に近い良好な景観を確保することができる。
【０００９】
この場合において、前記締結具をアースアンカー又はアンカーボルトで地面に固定することにより、法枠材を法面に固定することができる。
【００１０】
これにより、法枠を法面に簡単かつ確実に設置することができる。
【発明の実施の形態】
以下、本発明の法枠の実施の形態を図面に基づいて説明する。
【００１１】
図１〜図２に、本発明の法枠の第１実施例を示す。
この法枠１は、法面２に設置し、枠内に客土３を保持することにより法面の緑化を図るものであり、間伐材４の中心部に貫通孔５を形成し、この貫通孔５内に索条又は線材６を挿通することにより法枠材７を形成するとともに、この索条又は線材６の端部に締結具８を配設し、この締結具８を介して複数の法枠材７を連結することにより、格子状（又は筋状）の法枠１を形成することができる。
【００１２】
具体的には、所定径の間伐材を例えば数十ｃｍ程度の適当な長さに切断し、切断した間伐材４の中心にワイヤーロープや鋼線等からなる索条又は線材６を通す貫通孔５を穿設する。
そして、切断した複数の間伐材４に索条又は線材６を挿通した後、索条又は線材６を適当な寸法で切断し、その端部に直接雄ねじを刻設するか、又は雄ねじを設けたボルト状の軸具９を固定する。
この場合、索条又は線材６に挿通する間伐材４の数量や長さ、あるいは索条又は線材６の長さ等は、施工する法面２に応じて適宜に変更することができる。
なお、切断した間伐材４は、図示のように端面を面取りしておくことが好ましい。
【００１３】
締結具としては、例えば、四角形の有底筒状の締結具８を使用することができる。
すなわち、この締結具８の４つの筒壁８１にそれぞれボルト孔８２を穿設し、このボルト孔８２に前記索条又は線材６の軸具９等を挿通してナット１０により固定する。
また、締結具８の底壁８３に、アースアンカー又はアンカーボルト用の貫通孔を穿設し、この締結具８をアースアンカー又はアンカーボルト（図示のものは、アースアンカー）１１で地面に固定することにより、法枠材７を法面２に固定するようにする。
このように、適当な数量の法枠材７を、格子状（又は筋状）に法面上に配設し、法枠材７端部の締結具８をアースアンカー又はアンカーボルト１１で地面に固定することにより、格子状（又は筋状）の法枠１を法面２に形成することができる。
【００１４】
かくして、本実施例の法枠１は、間伐材４に索条又は線材６を挿通して法枠材７を形成するとともに、この索条又は線材６の端部に配設した締結具８を介して複数の法枠材７を連結することから、施工が容易で材料費や工事費が安く、しかも、芯材となる索条又は線材６が間伐材４によって覆われているため、施行後も自然に近い良好な景観を確保することができる。
また、締結具８をアースアンカー又はアンカーボルト１１で地面に固定して、法枠材７を法面２に固定することにより、法枠１を法面２に簡単かつ確実に設置することができる。
【００１５】
また、本実施例の法枠は、下記のような特性も有している。
（１）ワイヤーロープ等の索条又は線材６の柔軟性や引っ張り強さ、間伐材４の堅さ等のそれぞれの特性を利用している。間伐材４だけであれば柔軟性、引っ張り強さがなく、また、索条又は線材６だけであれば枠を作ることも、法面２を押さえることもできない。
（２）間伐材４の長さを短くすることによって、曲げやすくなり、法面２の起伏に対しても柔軟性をもって対応することができる。
（３）アースアンカー又はアンカーボルト１１は、法面２の状況に対して長くしたり、強度の強いものを使うことができる。
（４）森林保全、林業振興のためにその有効利用が要請されている間伐材４の利用促進を図ることができる。
（５）図２（ｂ）に示すように、客土３の間伐材４の上の部分１２が階段状に平たくなり、また、コンクリートのようにアクが出ないこともあって、植生状態をよくすることができる（法面の階段状化）。
（６）長い時間の経過とともに間伐材４が風化して土に還り、異物の残留を極めて少なくすることができる。
（７）法枠１を、格子状にしたり、筋状にしたりすることができ、設計を自由に変更することができる。
（８）締結具８の底面に水抜き穴（図示省略）を開け、締結具８の中にも客土吹付を行い、きめ細かい緑化を図ることができる。
【００１６】
次に、図３に、本発明の法枠の第２実施例を示す。
この法枠（筋工）１は、第１実施例と同様に、間伐材４の中心部に貫通孔５を形成し、この貫通孔５内にワイヤーロープ６を挿通することにより法枠材７を形成するとともに、このワイヤーロープ６の端部に締結具８を配設し、この締結具８を介して複数の法枠材７を連結することにより、法面に沿って平行（筋状）に法枠材７を配設するようにしたものである。
なお、本実施例においては、法面に沿って平行（筋状）に配設した法枠材７と直交する方向には法枠材を配設していないが、これを配設して、格子状の法枠を形成することもできる。
【００１７】
この場合において、締結具として、プレス成形した有底円筒状の締結具８を使用するようにしている。
そして、この締結具８の周壁８５の対向する２箇所（又はクロスする４箇所）にそれぞれボルト孔８２を穿設し、このボルト孔８２にフック付きボルト８６を挿通してナット１０により固定する。
そして、このフック付きボルト８６に、リング状に形成したワイヤーロープ６の一端６ａを掛止するとともに、ワイヤーロープ６の他端６ｂを掛けて固定具８７により固定する。
この固定具８７は、ワイヤーロープを固定するために用いられる各種部材を使用することができるが、例えば、固定具に折り返すようにして挿通したワイヤーロープ６の端部側を一方向（緊張方向）にのみ移動可能（他方向（緩み方向）には移動不可）とし、ワイヤーロープ６の端部側を一方向（緊張方向）に引っ張ることによりワイヤーロープ６を緊張することができるようにした固定具を好適に用いることができる。
【００１８】
また、締結具８の底壁８３に、アースアンカー又はアンカーボルト用の貫通孔を穿設し、この締結具８をアースアンカー又はアンカーボルト（図示のものは、アンカーボルト）１１で地面に固定することにより、法枠材７を法面２に固定するようにすることは、上記第１実施例と同様である。
なお、中間に位置する締結具８ａは、単にワイヤーロープ６を挿通させるだけでよい。
このように、適当な数量の法枠材７を、筋状（又は格子状）に法面上に配設し、法枠材７端部の締結具８をアースアンカー又はアンカーボルト１１で地面に固定することにより、筋状（又は格子状）の法枠１を法面２に形成することができる。
【００１９】
以上、本発明の法枠について、木材として間伐材４を利用した実施例に基づいて説明したが、本発明は上記実施例に記載した構成に限定されるものではなく、その趣旨を逸脱しない範囲において適宜その構成を変更することができるものである。
なお、直径等の寸法に制約のある間伐材４（客土３の層厚を増大させようとしても、間伐材４の直径により制約を受ける。）に代えて、図４（ａ）に示すように、木材として角材４Ａを用いることができる（参考例）。
そして、木材として角材４Ａを用いる場合には、例えば、２本の角材４Ａ1、４Ａ2を用い、少なく一方の角材４Ａ1の他方の角材４Ａ2との接合面に、両者を接合した状態でワイヤーロープや鋼線等からなる索条又は線材６を通す貫通孔５となる角材４Ａ1の長手方向に伸びる溝を形成した後、図４（ｂ）に示すような金属製等の連結具１３ａや図４（ｃ）に示すような金属製等の連結ベルト１３ｂを用いて、２本の角材４Ａ1、４Ａ2を接合、一体化するようにしたものを、図１〜図３に記載した一実施例と同様に、用いるようにする。
なお、木材として角材４Ａを用いる場合の基本的な作用効果は、木材として間伐材４を利用した場合と、同様である。
また、本発明の名称の「法枠」は、本発明の適用対象を分かりやすくするために付したものにすぎず、本明細書でいう「法枠」には（本発明の適用対象には）、上記第２実施例に記載したような法面に沿って平行（筋状）に法枠材を配設した（これと直交する方向には法枠材を配設していない）、いわゆる、「筋工」も含まれ、これを排除するものではない。
【００２０】
【発明の効果】
本発明の法枠によれば、間伐材の丸太を数十ｃｍの長さに切断し、その中心部に貫通孔を穿設してなる木材を、前記貫通孔内に索条又は線材を挿通することにより複数個連ねて法枠材を形成するとともに、この索条又は線材の端部に配設した締結具を介して複数の法枠材を連結することから、施工が容易で材料費や工事費が安く、しかも、芯材となる索条又は線材が間伐材の丸太からなる木材によって覆われているため、施行後も自然に近い良好な景観を確保することができる。
【００２１】
また、前記締結具をアースアンカー又はアンカーボルトで地面に固定して、法枠材を法面に固定することにより、法枠を法面に簡単かつ確実に設置することができる。
【図面の簡単な説明】
【図１】  本発明の法枠の第１実施例を示し、（ａ）はその平面図、（ｂ）は締結具とアースアンカー又はアンカーボルトを示す断面図である。
【図２】  同実施例の（ａ）は図１のＡ−Ａ線断面図、（ｂ）はＢ−Ｂ線断面図である。
【図３】  本発明の法枠の第２実施例を示し、（ａ）はその断面平面図、（ｂ）はワイヤーロープと固定具を示す平面図、（ｃ）は締結具とアースアンカー又はアンカーボルトを示す縦断面図である。
【図４】  法枠の参考例を示し、（ａ）は角材の説明図、（ｂ）及び（ｃ）は角材を接合、一体化した状態を示す説明図、（ｄ）は法枠の断面図である。
【符号の説明】
１    法枠
２    法面
３    客土
４    間伐材（木材）
４Ａ  角材（木材）
５    貫通孔
６    索条又は線材
７    法枠材
８    締結具
８１  筒壁
８２  ボルト孔
８３  底壁
８４  アースアンカー又はアンカーボルト用貫通孔
８５  周壁
８６  フック付きボルト
８７  固定具
９    軸具
１０  ナット
１１  アースアンカー（又はアンカーボルト）
１２  間伐材の上の部分
【図１】
0004749627.tif 000002
【図２】
0004749627.tif 000003
【図３】
0004749627.tif 000004
【図４】
0004749627.tif 000005